(57)【特許請求の範囲】
【請求項１】
暖房装置と、その暖房装置の運転を制御する制御装置とを備えたトイレ室の暖房制御システムであって、
前記暖房装置は、トイレ室の便器に対して左右両側と前方側との少なくとも一方側に配設された輻射熱放射可能なヒーターパネルを備えているとともに、そのヒーターパネルを高出力運転とその高出力運転よりも低出力で運転する低出力運転とを切り替え可能に構成され、
前記制御装置は、前記トイレ室に使用者が入室された場合に、前記暖房装置に前記高出力運転させ、その後、所定の切替タイミングで前記低出力運転に切り替えさせるように構成されており、
前記切替タイミングは、前記使用者の体表面温度が第１設定温度よりも高くなったことを前記暖房装置が検出した時点であり、
前記制御装置は、前記低出力運転に切り替えさせた後、前記使用者の体表面温度が前記第１設定温度より低く設定した第２設定温度よりも低くなったことを前記暖房装置が検出した時点で、前記暖房装置を再度、前記高出力運転に切り替えさせるように構成されていることを特徴とするトイレ室の暖房制御システム。
【発明の詳細な説明】
【技術分野】
【０００１】
本発明は、トイレ室の暖房を制御する暖房制御システムに関するものである。
【背景技術】
【０００２】
従来から、トイレ室の温度を制御する暖房装置が知られている。そのような暖房装置として、例えば次のようなものが提案されている（特許文献１参照）。この暖房装置は、発熱体前面に人が存在する場合は発熱体を最高発熱量で運転するとともに偏差演算手段からの偏差信号がある一定値以下になると送風機を一定風量で運転し、人体判断信号に基づき発熱体前面に人が存在しない場合は送風機と発熱体の運転を停止するようにしたものである。
【特許文献１】特公平０６−１０３１２４号公報
【発明の開示】
【発明が解決しようとする課題】
【０００３】
しかしながら、特許文献１に記載のものでは、発熱体前面に人が存在することを判断した場合に発熱体が最高発熱量で運転を開始等するため、トイレ室に入った段階では未だ発熱体は運転されず、便座に座った際に発熱体が運転される。その結果、使用者は、トイレ室の温度が低い場合でも用便姿勢に入らなければならず、寒さを感じる場合もある。
【０００４】
また、発熱体前面に人が存在すると判断した場合に発熱体を最高発熱量で運転することに加えて送風機を一定風量で運転するため、消費が大きくなるという問題点がある。
【０００５】
本発明は、使用者がトイレ室を快適に使用でき、しかも、不要な電力の消費を極力抑えて使用コストを低く抑えることのできるトイレ室の暖房制御システムを提供することを目的とする。
【課題を解決するための手段】
【０００６】
前記課題を解決するために、本発明の請求項１は、暖房装置と、その暖房装置の運転を制御する制御装置とを備えたトイレ室の暖房制御システムであって、前記暖房装置は、トイレ室の便器に対して左右両側と前方側との少なくとも一方側に配設された輻射熱放射可能なヒーターパネルを備えているとともに、そのヒーターパネルを高出力運転とその高出力運転よりも低出力で運転する低出力運転とを切り替え可能に構成され、前記制御装置は、前記トイレ室に使用者が入室された場合に、前記暖房装置に前記高出力運転させ、その後、所定の切替タイミングで前記低出力運転に切り替えさせるように構成されており、前記切替タイミングは、前記使用者の体表面温度が第１設定温度よりも高くなったことを前記暖房装置が検出した時点であり、前記制御装置は、前記低出力運転に切り替えさせた後、前記使用者の体表面温度が前記第１設定温度より低く設定した第２設定温度よりも低くなったことを前記暖房装置が検出した時点で、前記暖房装置を再度、前記高出力運転に切り替えさせるように構成されていることを特徴とするトイレ室の暖房制御システムを提供する。
【発明の効果】
【００１１】
請求項１によれば、トイレ室に使用者が入室された場合に、暖房装置に高出力運転させ、その後、所定の切替タイミングで低出力運転に切り替えさせる。これにより、トイレ室に入室した使用者は、即座に暖まることができる。
【００１２】
また、暖房装置の高出力運転によって暖まった後は、暖房装置を低出力運転に切り替えても使用者は十分に暖まっているため、差し支えのないものにでき、むしろ、暖まり過ぎるのを防止できる。一方、高出力運転の後に、低出力運転に切り替えさせるため、従来の暖房装置に比してエネルギーの消費を抑えることができる。
【００１３】
又、使用者の体表面温度が第１設定温度よりも高くなった時点で、暖房装置を高出力運転から低出力運転に切り替えさせる。これにより、使用者が暖房装置の高出力運転によって暖まり過ぎるのを防止でき、例えば使用者が暖まり過ぎて、ほてりを起こすようなことを確実に防止できる。また、その際、体表面温度に基づいて行うため、確実に使用者の身体が暖まり過ぎるのを防止できる。
【００１４】
又、低出力運転に切り替えさせた後、体表面温度が第２設定温度よりも低くなった時点で、暖房装置を再度高出力運転に切り替えさせる。これにより、例えばトイレ室を長時間使用した場合に、低出力運転を続けた場合の使用者の身体の冷えを防止でき、使用者はトイレ室を長時間快適に使用できる。また、その際、体表面温度に基づいて行うため、確実に使用者の身体の冷えを防止できる。
【発明を実施するための最良の形態】
【００１７】
以下、本発明を実施するための最良の形態について、図面を参照しながら詳細に説明する。図１は、本発明の第１実施形態のトイレ室の暖房制御システムを施したトイレ室の概略図、図２は、その暖房制御システムに用いられる暖房装置を説明するためのブロック図、図３は、その暖房制御システムに用いられる制御装置を説明するためのブロック図である。
【００１８】
この第１実施形態のトイレ室の暖房制御システムは、図１に示すように、トイレ室１に設けられた暖房装置２と、暖房装置２に制御信号を有線又は無線（この実施形態では、無線）により送信することによって暖房装置２の運転を制御する制御装置３とを備えている。
【００１９】
この実施形態の暖房装置２は、トイレ室１における便器４の左右の両側夫々に設置されたヒーターパネル２１を備えている。ヒーターパネル２１は、夫々、四角形状のものから構成され、内部に、図示しないヒーター線が配設されている。
【００２０】
また、この実施形態のヒーター線は、第１ヒーター線と、第２ヒーター線とから構成されている。第１ヒーター線は、ヒーターパネル２１のほぼ全体に配設されている。これにより、便器４に対して立った立位の使用者又は便器４に対してその便器４の便座に座った座位の使用者の顔を含む身体全体に輻射熱を放射できるようになっている。
【００２１】
第２ヒーター線は、ヒーターパネル２１の下部側に配設されている。これにより、立位又は座位の使用者の主に下半身に輻射熱を放射できるようになっている。
【００２２】
また、これらの第１ヒーター線と第２ヒーター線とは互いに切り替えられて通電可能、即ち運転可能とされており、第１ヒーター線の運転は、高出力運転となり、第２ヒーター線の運転は、その高出力運転よりも低出力で運転する低出力運転となる。
【００２３】
又、この実施形態の暖房装置２は、図２に示すように、操作部２２を備えている。この操作部２２は、高出力運転部２３と、低出力運転部２４と、運転停止部２５と、受信部２６とを備えている。
【００２４】
高出力運転部２３は、制御装置３から、高出力運転を開始させるための制御信号である高出力運転開始信号を受信した場合にその高出力運転開始信号に基づいてヒーターパネル２１を高出力運転にする。
【００２５】
低出力運転部２４は、制御装置３から、低出力運転を開始させるための制御信号である低出力運転開始信号を受信した場合にその低出力運転開始信号に基づいてヒーターパネル２１を低出力運転にする。
【００２６】
運転停止部２８は、制御装置３から、暖房装置２のヒーターパネル２１の高出力運転又は低出力運転を停止させるための制御信号である運転停止信号を受信した場合にその運転停止信号に基づいて、その運転を停止する。
【００２７】
受信部２６は、例えば上記高出力運転開始信号、低出力運転開始信号、運転停止信号を制御装置３から受信する。
【００２８】
又、暖房装置２は、この実施形態では、図示しないが、記録装置であるメモリ、ＣＰＵ、表示装置である表示部、入力装置であるボタンキー、制御装置３と通信するための通信インターフェース等を備えている。
【００２９】
そして、上記ＣＰＵは、図２の操作部２２の高出力運転部２３、低出力運転部２４、運転停止部２５、受信部２６として機能する。
【００３０】
制御装置３は、図３に示すように入室判定部３１と、第１設定時間経過判定部３２と、第２設定時間経過判定部３３と、退室判定部３４と、送信部３５とを備えている。
【００３１】
入室判定部３１は、トイレ室に使用者が入室したか否かを、制御装置３が有する入退室検出手段としての入退室検出用赤外線センサ３０ａ（図１に図示）による検出データに基づいて判定する。
【００３２】
より詳しくは、この実施形態の入退室検出用赤外線センサ３０ａは、トイレ室１の出入り口を通る使用者に赤外線が遮られるように設置されている。そして、トイレ室１の出入り口から入ってくる使用者に赤外線が遮られると、入退室検出用赤外線センサ３０ａがそれを検出し、その入室したことの検出データに基づいて制御装置３は、トイレ室に使用者が入室されたとの判定を行う。
【００３３】
又、制御装置３は、上記入室されたとの判定を行った場合、高出力運転開始信号を生成し、それを暖房装置２に送信する。
【００３４】
退室判定部３４は、使用者がトイレ室から退室したか否かを、上記入退室検出用赤外線センサ３０ａによる検出データに基づいて判定する。詳しくは、トイレ室の出入り口から出て行く使用者が赤外線を遮ると、上記入退室検出用赤外線センサ３０ａがそれを検出し、その退室したことの検出データに基づいて制御装置３は、使用者がトイレ室から退室されたとの判定を行う。
【００３５】
又、制御装置３は、上記退室されたとの判定を行った場合、運転停止信号を生成し、その信号を暖房装置２に送信する。
【００３６】
第１設定時間経過判定部３２は、高出力運転させてから、即ち、高出力運転開始信号を暖房装置２に送信してから第１設定時間が経過したか否かを判定する。尚、第１設定時間は、この実施形態では、１〜３分程度に設定されているが、第１設定時間は、特に限定されず、適宜変更し得る。例えば使用者が十分に温まった温度であって、ほてりを起こさない程度の時間として予め設定した時間であっても良い。
【００３７】
第２設定時間経過判定部３３は、低出力運転させてから、即ち、低出力運転開始信号を暖房装置２に送信してから第２設定時間が経過したか否かを判定する。尚、第２設定時間は、この実施形態では、第１設定時間（１〜３分程度）と同じに設定されているが、第２設定時間についても、特に限定されず、適宜変更し得る。
【００３８】
送信部３５は、例えば高出力運転開始信号、低出力運転開始信号、運転停止信号を暖房装置２に送信する。
【００３９】
又、制御装置３は、図示しないが、記録装置であるメモリ、ＣＰＵ、表示装置である表示部、入力装置であるボタンキー、暖房装置と通信するための通信インターフェース等を備えている。
【００４０】
そして、上記ＣＰＵは、図３の入室判定部３１、第１設定時間経過判定部３２、第２設定時間経過判定部３３、退室判定部３４、送信部３５として機能する。
【００４１】
次に、この第１実施形態のシステムの動作について、図４に基づいて説明する。まず、制御装置３は、入室判定部３１（図３参照）によって、トイレ室１に使用者が入室された否かを判定する（図４、ステップＳ１）。
【００４２】
このステップＳ１において、制御装置３は、未だ入室されないとの判定を行った場合、制御を戻す。一方、ステップＳ１において、制御装置３は、入室されたとの判定を行った場合、その判定に基づいて、高出力運転開始信号を生成し暖房装置２に送信する。
【００４３】
例えば図５に示すように、使用者がトイレ室に入室した時刻ｔ１で、制御装置３は、入室されたとの判定を行い、そして、その判定に基づいて高出力運転開始信号を生成して暖房装置２に送信する。
【００４４】
高出力運転開始信号を受信した暖房装置２（の操作部２２）は、受信した高出力運転開始信号に基づいて、高出力運転を開始する（図４、ステップＳ２）。
【００４５】
その後、制御装置３は、退室判定部３４（図３参照）によって、使用者がトイレ室１から退室されたか否かを判定する（図４、ステップＳ３）。このステップＳ３において、退室されたとの判定を行った場合は、制御を後述のステップＳ１０に進める。
【００４６】
一方、未だ退室されていないとの判定を行った場合、制御装置３は、第１設定時間経過判定部３２（図３参照）によって、上記高出力運転開始信号を送信してから第１設定時間（例えば２分）が経過したか否かを判定する（図４、ステップＳ４）。
【００４７】
このステップＳ４において、制御装置３は、第１設定時間が経過していないとの判定を行った場合は、制御を上記ステップＳ３に戻す。一方、ステップＳ４において、制御装置３は、第１設定時間が経過したとの判定を行った場合、その判定に基づいて、低出力運転開始信号を生成して暖房装置２に送信する。
【００４８】
例えば図５に示すように、上記時刻ｔ１から第１設定時間が経過した時刻ｔ２で、制御装置３は、第１設定時間が経過したとの判定を行い、そして、この判定に基づいて低出力運転開始信号を生成して暖房装置２に送信する。
【００４９】
低出力運転開始信号を受信した暖房装置２は、受信したその低出力運転開始信号に基づいて、低出力運転を開始する（図４、ステップＳ５）。
【００５０】
その後、制御装置３は、使用者がトイレ室１から退室されたか否かを判定し（図４、ステップＳ６）、退室されたとの判定を行った場合は、制御を後述のステップＳ１０に進める。
【００５１】
一方、ステップＳ６において、未だ退室されていないとの判定を行った場合、制御装置３は、第２設定時間経過判定部３３（図３参照）によって、上記低出力運転開始信号を送信してから第２設定時間（例えば２分）が経過したか否かを判定する（図４、ステップＳ７）。
【００５２】
このステップＳ７において、制御装置３は、第２設定時間が経過していないとの判定を行った場合は、制御を上記ステップＳ６に戻す。一方、ステップＳ７において、制御装置３は、第２設定時間が経過したとの判定を行った場合、その判定に基づいて、高出力運転開始信号を生成して暖房装置２に送信する。
【００５３】
例えば図５に示すように、上記時刻ｔ２から第２設定時間が経過した時刻ｔ３で、制御装置３は、第２設定時間が経過したとの判定を行い、そして、この判定に基づいて高出力運転開始信号を生成して暖房装置２に送信する。
【００５４】
高出力運転開始信号を受信した暖房装置２は、受信したその高出力運転開始信号に基づいて、再度、高出力運転を開始する（図４、ステップＳ８）。
【００５５】
次に、制御装置３は、再度、退室判定部３４によって、使用者がトイレ室１から退室されたか否かを判定し（図４、ステップＳ９）、未だ退室されていないとの判定を行った場合は、制御を戻し、退室されるのを待つ。
【００５６】
一方、ステップＳ９において、退室されたとの判定を行った場合は、その判定に基づいて運転停止信号を生成し、暖房装置２に送信する。
【００５７】
例えば図５に示すように、使用者が退室した時刻ｔ４で、制御装置３は、退室したとの判定を行い、そして、その判定に基づいて運転停止信号を生成して暖房装置２に送信する。運転停止信号を受信した暖房装置２は、運転を停止する（図４、ステップＳ１０）。
【００５８】
次に、第２実施形態について説明する。第２実施形態における制御装置３は、先の第１実施形態と同様に、入室判定部３１、第１設定時間経過判定部３２、退室判定部３４及び送信部３５を備えている（図３参照）。
【００５９】
ただし、この第２実施形態においては、先の第１実施形態における第２設定時間経過判定部３３に相当するものを備えていない。その他は、先の第１実施形態と同構成を採っている。
【００６０】
このように構成された第２実施形態の動作については、図６に示すように、先の第１実施形態におけるステップＳ１〜Ｓ５及びステップＳ９、１０に対応するステップＳ１１〜Ｓ１５及びステップＳ１６、１７を採る。
【００６１】
例えば図７に示すように、使用者がトイレ室に入室した時刻ｔ１１で、制御装置３は、入室されたとの判定を行い、高出力運転開始信号を生成して暖房装置２に送信し、受信した暖房装置２は、高出力運転を開始する。又、上記時刻ｔ１１から第１設定時間が経過した時刻ｔ１２で、制御装置３は、第１設定時間が経過したとの判定を行い、低出力運転開始信号を暖房装置２に送信し、受信した暖房装置２は、低出力運転を開始する。
【００６２】
そして、使用者が退室した時刻ｔ１３で、制御装置３は、退室したとの判定を行い、運転停止信号を生成して暖房装置２に送信し、それを受信した暖房装置２は、運転を停止する。
【００６３】
以上のように、第２実施形態では、暖房装置２が低出力運転を開始した後は、先の第１実施形態のように再度高出力運転を開始することはなく、使用者が退室するまで低出力運転を維持する。
【００６４】
次に、第３実施形態について説明する。第３実施形態における制御装置３は、図８に示すように、入室判定部３１と、第１設定温度高判定部１３２と、第２設定温度低判定部１３３と、退室判定部３４と、送信部３５とを備えている。入室判定部３１、退室判定部３４及び送信部３５は、先の第１実施形態のものと同構成を採っている。
【００６５】
第１設定温度高判定部１３２は、使用者の体表面温度が第１設定温度よりも高くなったか否かを、制御装置３が有する体表面温度検出手段としてのサーモグラフィ３０ｂ（図１に図示）による検出データに基づいて判定する。
【００６６】
この実施形態のサーモグラフィ３０ｂは、トイレ室１に設けられており、トイレ室１に入った使用者の顔における頬の温度を検出する。そして、その検出データと第１設定温度とを比較して検出データが第１設定温度よりも高い場合に、使用者の体表面温度が第１設定温度よりも高くなったとの判定を行う。
【００６７】
又、使用者の体表面温度が第１設定温度よりも高くなったとの判定を行った場合に、低出力運転開始信号を生成し、暖房装置２に送信する。
【００６８】
一方、検出データと第１設定温度とを比較して検出データが第１設定温度以下の場合に、使用者の体表面温度が第１設定温度よりも高くないとの判定を行う。
【００６９】
また、この実施形態における第１設定温度は、使用者の頬が十分に温まった温度であって、ほてりを起こさない程度の温度に設定されている。尚、第１設定温度は、特に限定されず、適宜変更して設定できる。
【００７０】
第２設定温度低判定部１３３は、使用者の体表面温度が第２設定温度よりも低くなったか否かを、上記体表面温度検出手段としてのサーモグラフィ３０ｂによる検出データに基づいて判定する。
【００７１】
詳しくは、制御装置３は、サーモグラフィ３０ｂで検出した検出データと第２設定温度とを比較して検出データが第２設定温度よりも低い場合に、使用者の体表面温度が第２設定温度よりも低くなったとの判定を行う。
【００７２】
また、この実施形態における第２設定温度は、頬が冷たいと使用者が感じる程度の温度に設定されている。尚、この第２設定温度は、特に限定されず、適宜変更して設定できる。
【００７３】
次に、この第３実施形態のシステムの動作については、図９に基づいて説明する。制御装置３は、先の第１実施形態におけるステップＳ１〜Ｓ３と同じステップＳ２１〜Ｓ２３を採る。
【００７４】
例えば図１０に示すように、使用者がトイレ室に入室した時刻ｔ２１で、制御装置３は、入室されたとの判定を行い、高出力運転開始信号を生成して暖房装置２に送信する。
【００７５】
そして、暖房装置２が高出力運転を開始（図９、ステップＳ２２）した後、制御装置３は、退室判定部３４によって、使用者がトイレ室１から退室されたか否かを判定する（図９、ステップＳ２３）。このステップＳ２３において、退室されたとの判定を行った場合は、制御を後述のステップＳ３０に進める。
【００７６】
一方、未だ退室されていないとの判定を行った場合、制御装置３は、第１設定温度高判定部１３２によって、使用者の体表面温度が第１設定温度よりも高くなったか否かを、サーモグラフィ３０ｂによる検出データに基づいて判定する（図９、ステップＳ２４）。
【００７７】
このステップＳ２４において、制御装置３は、第１設定温度よりも高くないとの判定を行った場合は、制御を上記ステップＳ２３に戻す。一方、第１設定温度よりも高いとの判定を行った場合、制御装置３は、その判定に基づいて、低出力運転開始信号を生成して暖房装置２に送信する。
【００７８】
例えば図１０に示すように、使用者の体表面温度が第１設定温度よりも高くなったことをサーモグラフィ３０ｂによって検出した時刻ｔ２２（時点）で、制御装置３は、第１設定温度よりも高くなったとの判定を行う。そして、この判定に基づいて低出力運転開始信号を生成して暖房装置２に送信する。
【００７９】
低出力運転開始信号を受信した暖房装置２は、受信したその低出力運転開始信号に基づいて、低出力運転を開始する（図９、ステップＳ２５）。
【００８０】
その後、制御装置３は、再度、退室判定部３４によって、使用者がトイレ室１から退室されたか否かを判定し（図９、ステップＳ２６）、退室されたとの判定を行った場合は、制御を後述のステップＳ３０に進める。
【００８１】
一方、未だ退室されていないとの判定を行った場合、制御装置３は、第２設定温度低判定部１３３によって、使用者の体表面温度が第２設定温度よりも低くなったか否かを、サーモグラフィ３０ｂによる検出データに基づいて判定する（図９、ステップＳ２７）。
【００８２】
このステップＳ２７において、制御装置３は、第２設定温度よりも低いとの判定を行った場合は、その判定に基づいて、再度、高出力運転開始信号を生成して暖房装置２に送信する。
【００８３】
例えば図１０に示すように、使用者の体表面温度が第２設定温度よりも低くなったことをサーモグラフィ３０ｂによって検出した時刻ｔ２３（時点）で、制御装置３は、第２設定温度よりも低くなったとの判定を行う。そして、この判定に基づいて高出力運転開始信号を生成して暖房装置２に送信する。
【００８４】
高出力運転開始信号を受信した暖房装置２は、受信したその高出力運転開始信号に基づいて、再度、高出力運転を開始する（図９、ステップＳ２８）。
【００８５】
その後は、先の第１実施形態のステップＳ９、Ｓ１０と同じステップＳ２９、Ｓ３０を採る。
【００８６】
例えば図１０に示すように、使用者が退室した時刻ｔ２４で、制御装置３は、退室したとの判定を行い、運転停止信号を生成して暖房装置２に送信し、それを受信した暖房装置２は、運転を停止する。
【００８７】
次に、第４実施形態について説明する。第４実施形態における制御装置３は、先の第３実施形態と同様に、入室判定部３１、第１設定温度高判定部１３２、退室判定部３４及び送信部３５を備えている（図８参照）。
【００８８】
ただし、この第４実施形態においては、先の第３実施形態における第２設定温度低判定部１３３に相当するものが備えられていない。その他は、先の第３実施形態と同構成を採っている。
【００８９】
このように構成された第４実施形態の動作は、図１１に示すように、先の第３実施形態におけるステップＳ２１〜Ｓ２５及びステップＳ２９、Ｓ３０に対応するステップＳ３１〜Ｓ３５及びステップＳ３６、Ｓ３７を採る。
【００９０】
例えば図１２に示すように、使用者がトイレ室に入室した時刻ｔ３１で、制御装置３は、入室されたとの判定を行い、高出力運転開始信号を生成して暖房装置２に送信する。受信した暖房装置２は、高出力運転を開始する。又、使用者の体表面温度が第１設定温度よりも高くなった時刻ｔ３２で、制御装置３は、第１設定温度よりも高くなったとの判定を行い、低出力運転開始信号を生成して暖房装置２に送信する。
【００９１】
そして、使用者が退室した時刻ｔ３３で、制御装置３は、退室したとの判定を行い、運転停止信号を生成して暖房装置２に送信し、それを受信した暖房装置２は、運転を停止する。
【００９２】
以上のように、第４実施形態では、暖房装置２が低出力運転を開始した後は、先の第３実施形態のように使用者の体表面温度が第２設定温度よりも低くなった場合でも高出力運転を開始することはなく、使用者が退室するまで低出力運転を維持する。
【００９３】
尚、上記第１実施形態〜第４実施形態では、暖房装置としてヒーターパネル２１を用いているが、この形態のものに限らず、例えばＰＴＣヒーター等を使用でき、適宜変更できる。
【００９４】
又、上記第１実施形態〜第４実施形態では、ヒーターパネル２１を、便器４の左右両側に設置しているが、この形態のものに限らず、例えば便器４の左右両側と前方側との少なくとも一方側に設置すれば良く、適宜変更できる。
【００９５】
また、ヒーターパネル２１は、トイレ室１の壁または扉とは別途に設けた形態のものであっても良いが、それらの壁や扉に内設した形態のものであっても良い。
【００９６】
又、上記第１実施形態〜第４実施形態では、体表面温度検出手段としてサーモグラフィ３０ｂを用いているが、他の手段を用いることもでき、適宜変更できる。
【００９７】
又、上記第１実施形態〜第４実施形態では、暖房装置と制御装置とを別途に設けているが、例えば制御装置を暖房装置に組み込んで付設した形態のものであっても良く、適宜変更できる。
【図面の簡単な説明】
【００９８】
【図１】本発明の第１実施形態のトイレ室の暖房制御システムを施したトイレ室の概略図である。
【図２】その暖房制御システムに用いられる暖房装置を説明するためのブロック図である。
【図３】その暖房制御システムに用いられる制御装置を説明するためのブロック図である。
【図４】第１実施形態のトイレ室の暖房制御システムの動作を説明するためのフローチャートである。
【図５】第１実施形態における暖房装置の高出力運転及び低出力運転と、入室及び退室との関係を示す説明図である。
【図６】第２実施形態のトイレ室の暖房制御システムの動作を説明するためのフローチャートである。
【図７】第２実施形態における暖房装置の高出力運転及び低出力運転と、入室及び退室との関係を示す説明図である。
【図８】第２実施形態における制御装置を説明するためのブロック図である。
【図９】第３実施形態のトイレ室の暖房制御システムの動作を説明するためのフローチャートである。
【図１０】第３実施形態における暖房装置の高出力運転及び低出力運転と、使用者の体表面温度と、入室及び退室との関係を示す説明図である。
【図１１】第４実施形態のトイレ室の暖房制御システムの動作を説明するためのフローチャートである。
【図１２】第４実施形態における暖房装置の高出力運転及び低出力運転と、使用者の体表面温度と、入室及び退室との関係を示す説明図である。
【符号の説明】
【００９９】
１    トイレ室
２    暖房装置
３    制御装置
４    便器
２１    ヒーターパネル
【図１】
0005135037.tif 000002
【図２】
0005135037.tif 000003
【図３】
0005135037.tif 000004
【図４】
0005135037.tif 000005
【図５】
0005135037.tif 000006
【図６】
0005135037.tif 000007
【図７】
0005135037.tif 000008
【図８】
0005135037.tif 000009
【図９】
0005135037.tif 000010
【図１０】
0005135037.tif 000011
【図１１】
0005135037.tif 000012
【図１２】
0005135037.tif 000013